(57)【要約】      （修正有）【課題】缶バッジ等の平坦な部材を収納するための平坦部材収納具であって、平坦部材を傷つけることなく収納、保管することができる平坦部材収納具を提供する。【解決手段】平坦部材収納具１は、帯状の本体２と、本体２を留めるための留め具６と、を備え、本体２は、両端に形成された孔と、長手方向に沿って所定間隔毎に設けられた仕切り１８によって仕切られるとともに、内部に缶バッジＴを収納可能な複数の収納部２０とを有し、留め具６は、本体２を両端の孔が互いに重なる二つ折りの状態で、孔を貫通して互いに係合するように構成された、係合解除可能な係合部３６及び被係合部３８を有する。【選択図】図６
0003204714.tif 000002
【実用新案登録請求の範囲】
【請求項１】
帯状の本体と、
前記本体を留めるための留め具と、を備え、
前記本体は、表側シート及び裏側シートを有して筒状に形成されており、両端に形成された孔と、長手方向に沿って所定間隔毎に設けられた仕切りによって仕切られるとともに内部に平坦部材を収納可能な複数の収納部とを有し、
前記留め具は、前記本体を前記両端の孔が互いに重なる二つ折りの状態で、前記孔を貫通して互いに係合するように構成された、係合解除可能な係合部及び被係合部を有する、
ことを特徴とする平坦部材収納具。
【請求項２】
前記収納部は、略正方形に仕切られている、
請求項１に記載の平坦部材収納具。
【請求項３】
前記収納部は、長手方向に一列に整列している、
請求項１または請求項２に記載の平坦部材収納具。
【請求項４】
前記複数の収納部の各々は、前記平坦部材を前記収納部に挿入可能な挿入口を有する、
請求項１から３のいずれか１項に記載の平坦部材収納具。
【請求項５】
前記挿入口は、前記裏側シートに形成されている、
請求項４に記載の平坦部材収納具。
【請求項６】
前記本体が二つ折りの状態で、前記挿入口は、各収納部の長手方向中央よりも前記孔に近い位置に、前記本体の幅方向に延びるように形成されている、
請求項４または請求項５に記載の平坦部材収納具。
【請求項７】
一端が前記留め具に装着されるとともに、他端に所望の物品を保持するための保持具を更に有する、
請求項１から請求項６のいずれか１項に記載の平坦部材収納具。
【請求項８】
前記保持具は、前記留め具を前記係合部及び前記被係合部が重なるように折り曲げられた状態での折り曲げた部分を掛けるための掛け部を有する、
請求項７に記載の平坦部材収納具。
【請求項９】
帯状の本体と、
一端が前記本体に接続されるとともに、他端に所望の物品を保持するための保持具と、を備え、
前記本体は、表側シート及び裏側シートを有して筒状に形成されており、長手方向に沿って所定間隔毎に設けられた仕切りによって仕切られるとともに内部に平坦部材を収納可能な複数の収納部を有する、
ことを特徴とする平坦部材収納具。
【考案の詳細な説明】
【技術分野】
【０００１】
本考案は、平坦部材収納具に関し、例えばキーホルダのような、小物等の物品を保持するため、あるいはバッグ等の物品に取り付けるための物品保持具の本体に、例えば缶バッジのような、平坦な部材を収納するための平坦部材収納具に関する。
【背景技術】
【０００２】
従来、缶バッジのようなグッズを収集することはよく行われているが、収集した缶バッジの利用方法として、例えば特許文献１には、バッグに缶バッジを飾ることが記載されている。このバッグには側面に透明性カバーが設けられており、バッグの側面との透明性カバーとの間に缶バッジを収納することで、バッグを装飾する。
また、缶バッジでバッグを装飾して缶バッジを見せるようにして使用する方法の他、従来、収集した缶バッジを収納ボックスに収納したり、コルクボードに貼り付けたりといった、様々な収納、展示方法がある。
【先行技術文献】
【特許文献】
【０００３】
【特許文献１】実用新案登録第３２００８２６号公報
【考案の概要】
【考案が解決しようとする課題】
【０００４】
しかしながら、上述のような、缶バッジを収納ボックスに収納する方法やコルクボードに貼り付ける方法では、缶バッジの整理・管理が難しく、また缶バッジを傷つけてしまうことがあるという問題がある。
本考案の目的は、缶バッジ等の平坦な部材を収納するための平坦部材収納具であって、平坦部材を傷つけることなく収納、保管することができる平坦部材収納具を提供することにある。
【課題を解決するための手段】
【０００５】
上記の目的を達成するために、本考案の平坦部材収納具は、帯状の本体と、本体を留めるための留め具と、を備え、本体は、表側シート及び裏側シートを有して筒状に形成されており、両端に形成された孔と、長手方向に沿って所定間隔毎に設けられた仕切りによって仕切られるとともに内部に平坦部材を収納可能な複数の収納部とを有し、留め具は、本体を両端の孔が互いに重なる二つ折りの状態で、孔を貫通して互いに係合するように構成された、係合解除可能な係合部及び被係合部を有する、ことを特徴としている。
このように構成された本考案においては、仕切りによって本体に複数の収納部が形成されているので、各収納部に例えば収集した缶バッジ等の平坦部材をそれぞれ収納することができる。これにより、平坦部材を傷つけることなく収納・保管することができるとともに、平坦部材の管理が容易になる。
また、係合部及び被係合部が係合解除可能に構成されているので、係合部及び被係合部の係合を解除することにより、本体を留め具から分離することができる。これにより、本体を留め具から外して平坦部材を収納することが可能となり、平坦部材の収納作業が容易になる。
【０００６】
本考案では、収納部は、略正方形に仕切られていることが好ましい。
このように構成された本考案では、収納部が、略正方形に仕切られているので、例えば缶バッジ等の円形の部材を収納したとき場合には収納部の余白が全方向で均一となるから、平坦部材を整然と並べることができる。
【０００７】
本考案では、収納部は、長手方向に一列に整列していることが好ましい。
このように構成された本考案では、収納部が長手方向に一列に整列しているので、平坦部材を収納部に収納すると、平坦部材を長手方向に一列に整列することとなり、平坦部材を帯状に整然と並べることができる。
【０００８】
本考案では、複数の収納部の各々は、平坦部材を収納部に挿入可能な挿入口を有することが好ましい。
このように構成された本考案では、各収納部が挿入口を有するので、各収納部のそれぞれの挿入口から平坦部材を挿入して収納することができる。したがって、平坦部材を簡単に収納することが可能となり、平坦部材同士がぶつかって傷つくこともない。
【０００９】
本考案では、挿入口は、前記裏側シートに形成されていることが好ましい。
このように構成された本考案では、挿入口が、裏側シートに形成されているので、本体を二つ折りにしたとき挿入口が本体の表側から見えにくくなるから、平坦部材収納具の外観が良好となる。
【００１０】
本考案では、本体が二つ折りの状態で、挿入口は、各収納部の長手方向中央よりも孔に近い位置に、本体の幅方向に延びるように形成されていることが好ましい。
このように構成された本考案では、本体が二つ折りの状態で、挿入口が、各収納部の長手方向中央よりも孔に近い位置に形成されているので、例えば留め具を上側にして本体を留め具から下がるようにした場合に、挿入口が各収納部において上側に位置することとなり、平坦部材が収納部から抜け落ちにくくなる。また、挿入口が、各収納部の長手方向中央よりも孔に近い位置に形成されているので、挿入口から平坦部材を収納しやすくなる。
【００１１】
本考案では、一端が留め具に装着されるとともに、他端に所望の物品を保持するための保持具を更に有することが好ましい。
このように構成された本考案では、平坦部材収納具が保持具を更に有するので、例えば保持具の他端に鍵等の所望の物品を保持すれば、平坦部材収納具をキーホルダとして使用することができる。また、保持具をバッグ等の物品に取り付ければ、平坦部材収納具を装飾品として使用することができ、平坦部材を収納した状態で持ち歩くことが可能になる。
【００１２】
本考案では、保持具は、留め具を係合部及び被係合部が重なるように折り曲げられた状態での折り曲げた部分を掛けるための掛け部を有する、ことが好ましい。
このように構成された本考案では、保持具が、留め具を折り曲げた部分を掛けるための掛け部を有するので、保持具と留め具の連結が容易になる。
【００１３】
また、本考案の平坦部材収納具は、帯状の本体と、一端が本体に接続されるとともに、他端に所望の物品を保持するための保持具と、を備え、本体は、表側シート及び裏側シートを有して筒状に形成されており、端部に形成された孔と、長手方向に沿って所定間隔毎に設けられた仕切りによって仕切られるとともに内部に平坦部材を収納可能な複数の収納部とを有する、ことを特徴としている。
このように構成された本考案においては、仕切りによって本体に複数の収納部が形成されているので、各収納部に例えば収集した缶バッジ等の平坦部材をそれぞれ収納することができる。これにより、平坦部材を傷つけることなく収納・保管することができるとともに、平坦部材の管理が容易になる。
【図面の簡単な説明】
【００１４】
【図１】本考案の一実施形態に係る平坦部材収納具の正面図である。
【図２】本考案の一実施形態に係る平坦部材収納具の平面図である。
【図３】本考案の一実施形態に係る平坦部材収納具の本体を展開した状態を内側から見た図である。
【図４】本考案の一実施形態に係る平坦部材収納具の留め具を展開した状態の正面図である。
【図５】本考案の一実施形態に係る平坦部材収納具の留め具を展開した状態の平面図である。
【図６】本考案の一実施形態に係る平坦部材収納具の使用例を示す図である。
【図７】本考案の平坦部材収納具の本体の変形例を示す図である。
【図８】本考案の平坦部材収納具の本体の変形例を示す図である。
【図９】本考案の平坦部材収納具の留め具の変形例を示す図である。
【図１０】本考案の平坦部材収納具の本体の変形例を示す図である。
【考案を実施するための形態】
【００１５】
以下、本考案の好ましい実施形態を添付図面を参照して説明する。
図１は、本考案の一実施形態に係る平坦部材収納具１の正面図であり、図２は、本考案の一実施形態に係る平坦部材収納具１の側面図である。本実施形態において、平坦部材収納具１は、例えばキーホルダのように、鍵等の所望の物品を保持するための物品保持具として使用される。また、本実施形態においては、平坦部材は缶バッジＴ（図６）として説明する。
これらの図１及び図２に示すように、本考案の一実施形態に係る平坦部材収納具１は、帯状の本体２と、鍵等の所望の物品を保持するための保持具４と、本体２を保持具４に留めるための留め具６と、を備えている。
【００１６】
図３は、本考案の一実施形態に係る平坦部材収納具１の本体２を展開した状態を内側（裏側）から見た図である。本体２は、略矩形の帯状のシート材料で形成された表側シート８（図１，図２）と、表側シート８の反対側に配置された、略矩形の帯状のシート材料で形成された裏側シート１０と、を備える。
表側シート８は、透明な帯状のシート材料で形成されており、裏側シート１０は、半透明の帯状のシート材料で形成されている。表側シート８及び裏側シート１０は、略矩形状の外周の四辺１０Ａ，１０Ｂ，１０Ｃ、１０Ｄが融着等によって互いに接合されている。したがって、本体２は、表側シート８と裏側シート１０によって、筒状または袋状に形成されている。
【００１７】
表側シート８及び裏側シート１０の両端には、表側シート８及び裏側シート１０を貫通するように、孔１２がそれぞれ形成されている。表側シート８及び裏側シート１０の、孔１２よりも中央側には、表側シート８及び裏側シート１０を幅方向に全幅にわたって融着する融着部１４が形成されている。このような構造により、表側シート８及び裏側シート１０の間で融着部１４の間の領域には、内部に缶バッジＴを収納可能な収納領域１６が形成される。
【００１８】
収納領域１６は、表側シート８及び裏側シート１０を融着することによって形成された複数の仕切り１８で仕切られ、複数の収納部２０に分割されている。仕切り１８は、収納領域１６の長手方向に沿って所定間隔（本実施形態では等間隔）に設けられている。したがって、各収納部２０は、本体２の長手方向に一列に整列している。各仕切り１８は、本体２の幅方向略中央に、幅方向に沿って形成されており、本体２の幅寸法の一部（本実施形態では本体２の幅寸法の約３分の１）にわたって延びている。本実施形態では、５つの仕切り１８が形成されることにより、収納領域１６が６つの略正方形の収納部２０に分割されている。
【００１９】
裏側シート１０には、各収納部２０の隣接する仕切り１８の間に、幅方向に全幅にわたって延びるスリットが形成されることにより、収納部２０に缶バッジＴを挿入するための挿入口２２が形成されている。図３において左側の３つの収納部２０に設けられた挿入口２２は、収納部２０の長手方向中央よりも、左側の孔１２に近い位置に形成されている。また、図３において右側の３つの収納部２０に設けられた挿入口２２は、収納部２０の長手方向中央よりも、右側の孔１２に近い位置に形成されている。これらの挿入口２２は、それぞれ、各収納部２０の一方の仕切り１８から、長手方向の寸法、つまり隣接する仕切り１８の間の距離の約３分の１の距離に位置している。このような構造により、孔１２が重なるように本体２を二つ折りにした場合、挿入口２２は、各収納部２０の長手方向中央よりも孔１２に近い位置に形成されている。
【００２０】
保持具４は、金属製の材料で形成されており、図１及び図２に示すように、一端に留め具６が装着されるとともに留め具６を介して本体２が取り付けられる本体取付部２４と、他端に鍵等の物品が取り付けらる物品取付部２６と、本体取付部２４と物品取付部２６とを連結する連結チェーン２８と、を備える。
本体取付部２４には、留め具６が取り付けられるように留め具６の幅とほぼ同じ長さの平坦部２４Ａと、その両端を繋ぐように円弧状部２４Ｂとが形成されており、全体として環状に形成されている。
物品取付部２６は、二重リング式の第一の取付部３０と、フック式の第二の取付部３２とを有する。第二の取付部３２は、第１の取付部３０の内周に収まる寸法に形成されている。
【００２１】
図４は、本考案の一実施形態に係る平坦部材収納具１の留め具６を展開した状態の正面図である。又、図５は、本考案の一実施形態に係る平坦部材収納具１の留め具６を展開した状態の平面図である。留め具６は、可撓性を有する着色された透明な２枚のシート状の材料の全周を互いに融着することによって形成され、略矩形状の帯状に形成された留め具本体３４を有する。留め具本体３４は、長手方向にほぼ２等分された第一及び第二の領域３４Ａ，３４Ｂを有し、二つ折り可能に形成されている。したがって、これらの領域３４Ａ，３４Ｂの境界には、留め具６を二つ折りにしたとき、折り曲げ部分３５Ａが形成される。折り曲げ部分３５Ａの幅方向両端には、幅方向内側に凹む凹部３５Ｂが形成されている。第一及び第二の領域３４Ａ，３４Ｂの略中央には、互いに係合・係合解除可能な係合部３６及び被係合部３８がそれぞれ設けられている。
【００２２】
このような構造の平坦部材収納具１は、以下のように使用する。
図６は、本考案の一実施形態に係る平坦部材収納具１の使用例を示す図である。図６に示すように、平坦部材収納具１をキーホルダーとして使用する場合、裏側シート１０の各収納部２０に設けられた挿入口２２から、例えば缶バッジＴを各収納部２０に１つずつ挿入する。表側シート８は透明な材料で形成されているため、この缶バッジＴの柄は外から視認可能となる。各収納部２０に缶バッジＴを収納した後、裏側シート１０が内側になるように、つまり裏側シート１０が互いに対向する面側となるように本体２を折り曲げ、両端の孔１２が重なるように本体２を二つ折りにする。
【００２３】
次に、留め具６に保持具４を取り付ける。留め具本体３４を折り曲げ部分３５Ａで折り曲げて二つ折りにし、保持具４の本体取付部２４に留め具６を挿通し、折り曲げ部分３５Ａを平坦部２４Ａに掛ける。このような状態では、留め具本体３４の折り曲げ部分３５Ａは、留め具６が保持具４に連結するための連結部を形成し、一方、保持具４の本体取付部２４は、留め具６を挿通して折り曲げ部分３５Ａを掛けるための環状の掛け部を構成する。その後、係合部３６及び被係合部３８を本体２の孔１２に貫通させ、係合部３６を被係合部３８に係合させることで、留め具６を本体２に留め、保持具４に本体２を取り付ける。このように組み立てた平坦部材収納具１は、物品取付部２６に鍵等を取り付けることによってキーホルダとして使用できる。
【００２４】
以上のような実施形態によれば、以下のような効果が得られる。
本体２に仕切り１８が設けられ、複数の収納部２０が設けられているので、缶バッジＴを１つずつ収納部２０に収納することができる。これにより、缶バッジＴを傷つけることなく、収納・保管することができ、缶バッジＴの紛失も防止することができる。
【００２５】
本体２に孔１２が形成され、留め具６が、係合部３６及び被係合部３８を有しているので、本体２を、留め具６によって保持具４に取り付けることができる。したがって、缶バッジＴを収納した本体２に保持具４を取り付けてキーホルダーとして使用することができる。これにより、例えば缶バッジＴを収納した平坦部材収納具１をバッグ等に取り付けて持ち歩くこともできる。また、留め具６の係合部３６及び被係合部３８が係合・係合解除可能に設けられているので、係合部３６及び被係合部３８の係合を解除すると、本体２を留め具６及び保持具４から取り外すことができる。したがって、挿入口２２から缶バッジＴを挿入する作業を容易に行うことができる。
また、留め具６の係合部３６及び被係合部３８が係合・係合解除可能に設けられているので、留め具６から保持具４を外して本体２及び留め具６を有する形態で使用することも可能となり、または、本体２から留め具６も外して、本体２のみで例えば二つ折りにせずに使用することも可能となるから、平坦部材収納具１を様々な形態で使用することができる。
【００２６】
留め具６が帯状に形成され、折り曲げ部分３５Ａに保持具４を掛けることによって留め具６と保持具４とを連結するので、留め具６保持具４を簡単に取り付けたり取り外したりすることができる。
【００２７】
各収納部２０について挿入口２２が設けられているので、各挿入口２２から１つずつ缶バッジＴを収納部２０に簡単に収納することができる。したがって、缶バッジＴを収納する際に缶バッジＴを互いにぶつけることなく収納することができ、傷つくのを防止することができる。また、挿入口２２が裏側シート１０側に設けられているので、本体２を二つ折りした際に、挿入口２２が外側から視認しにくくなり、平坦部材収納具１の外観を良好に保つことができる。さらに、本体２を二つ折りにした状態で、挿入口２２が、各収納部２０の長手方向寸法の中央よりも孔１２に近い位置に形成されているので、缶バッジＴを収納部２０に収納したとき、挿入口２２が缶バッジＴの中央よりも端寄りの位置で開口するので、缶バッジＴが収納部２０から抜け落ちにくい。また、缶バッジＴを収納部２０に挿入する際にも挿入しやすい。また、例えば物品取付部２６をバッグ等にとりつけて平坦部材収納具１をバッグにぶら下げる場合、挿入口２２が収納部２０の長手方向中央よりも上側に位置するので、使用中に缶バッジＴが収納部２０から抜け落ちるのを防止することができる。
【００２８】
本考案は、以上の実施の形態に限定されることなく、例えば、以下のような態様であってもよい。
物品取付部は、二重リング式のものやフック式のものの他、紐等で構成されたストラップ等、任意の構造及び材料のものを採用することができる。
前述の実施形態では、本体の収納部には、缶バッジを収納していたが、これに限らず、メダル等のコイン状の部材や、紙等のシート状部材等、任意の平坦部材を収納することができる。
【００２９】
収納部の数は、前述の実施形態では６つ設けられていたが、これに限らず、任意の数に設定することができる。例えば、図７に示す平坦部材収納具５０のように、仕切り５２を７つ設けることにより、収納部５４を８つ形成してもよいし、図８に示す平坦部材収納具６０のように収納部６２を２つ形成してもよい。
本体は、任意の寸法、形状を採用することができる。比較的大きな缶バッジＴ２を収納する場合には、例えば図８に示すように、本体６４の各収納部６２の寸法を大きく設定すればよい。この場合、本体６４の寸法に合わせて留め具及び保持具も大きく形成してもよいが、保持具が大きくなりすぎるのを防ぐため、図９に示すように、留め具６６の幅寸法が、折り曲げ部分６６Ａに向かうにつれて小さくなるように、留め具６６の形状を変更してもよい。留め具６６の形状を図９に示すようにすれば、より小さい保持具を使用することができる。
【００３０】
挿入口は、幅方向の全幅にわたって形成されているものに限らず、例えば収納部の幅の一部にわたって形成されていてもよい。また、挿入口は、長さ方向に収納部の長さの全長にわたって、または一部にわたって形成されているものであってもよい。挿入口の形成位置は、本体を二つ折りにした状態で、各収納部の長手方向寸法の中央よりも孔に近い位置に形成されているものに限らず、例えば孔から遠い位置に形成されていてもよいし、長手方向略中央に形成されていてもよい。また、挿入口は、例えば図１０に示す挿入口７２のように、本体７４を展開した状態で、全ての挿入口７２が、各収納部７６の長手方向中央よりも、一方の孔７８に近い位置に形成されていてもよい。
【００３１】
本考案の平坦部材収納具は、本体を二つ折りにするものに限らず、例えば表側シート及び裏側シートを有して筒状に形成され、長手方向に沿って所定間隔毎に設けられた仕切りによって複数の収納部を形成するようになっていてもよい。この場合、本体の端部に直接的にまたは留め具等を介して間接的に保持具の一端を接続して、保持具の他端をバッグ等の所望の物品に取り付けてもよい。
【００３２】
本考案の平坦部材状部材収納具は、キーホルダーのように、鍵等の物品を保持するための物品保持具として使用することができる他、例えば平坦部材状部材収納具を携帯電話やバッグ等の物品に取り付けてこれら物品を保持することにより、これら物品の装飾品として使用してもよい。
【符号の説明】
【００３３】
１  平坦部材収納具
２  本体
４  保持具
６  留め具
１２  孔
１８  仕切り
２０  収納部
２２  挿入口
２４  本体取付部（掛け部）
２６  物品取付部
３５Ａ  折り曲げ部分
３６  係合部
３８  被係合部
【図１】
0003204714.tif 000003
【図２】
0003204714.tif 000004
【図３】
0003204714.tif 000005
【図４】
0003204714.tif 000006
【図５】
0003204714.tif 000007
【図６】
0003204714.tif 000008
【図７】
0003204714.tif 000009
【図８】
0003204714.tif 000010
【図９】
0003204714.tif 000011
【図１０】
0003204714.tif 000012